(57)【要約】      （修正有）【課題】屈曲可能な表示パネルの信頼性を確保することが可能な表示装置を提供する。【解決手段】表示装置１Ａは、屈曲可能な表示パネル１０と、前記表示パネルの表示面側Ｆとは反対の裏面側Ｒに設けられた屈曲可能な基板２と、前記表示パネルの一部を前記基板に接着する接着部材４と、前記表示パネル及び前記基板を保持し、前記表示パネル及び前記基板とともに屈曲可能な筐体３とを有し、前記表示パネルは面内方向にスライド可能に保持され、前記基板は、前記基板の非屈曲時と屈曲時の一方において前記表示パネルに覆われ、他方において前記表示パネルに覆われない覆／非覆切替領域２６を含む。【選択図】図３
2019132981.tif 000002
【特許請求の範囲】
【請求項１】
屈曲可能な表示パネルと、
前記表示パネルの表示面側とは反対の裏面側に設けられた屈曲可能な基板と、
前記表示パネルの一部を前記基板に接着する接着部材と、
前記表示パネル及び前記基板を保持し、前記表示パネル及び前記基板とともに屈曲可能な筐体とを有し、
前記表示パネルは面内方向にスライド可能に保持され、
前記基板は、前記基板の非屈曲時と屈曲時の一方において前記表示パネルに覆われ、他方において前記表示パネルに覆われない覆／非覆切替領域を含む表示装置。
【請求項２】
前記表示パネルは、前記基板に対して屈曲方向外側に配置され、
前記覆／非覆切替領域は、非屈曲時に前記表示パネルに覆われ、屈曲時に前記表示パネルに覆われない、
請求項１に記載の表示装置。
【請求項３】
前記表示パネルは、前記基板に対して屈曲方向内側に配置され、
前記覆／非覆切替領域は、非屈曲時に前記表示パネルに覆われず、屈曲時に前記表示パネルに覆われる、
請求項１に記載の表示装置。
【請求項４】
前記接着部材は、屈曲時に互いに近づく前記表示パネルの端部の一方を前記基板に接着する、
請求項１に記載の表示装置。
【請求項５】
前記覆／非覆切替領域は、屈曲時に互いに近づく前記表示パネルの端部の他方のスライドにより形成される、
請求項４に記載の表示装置。
【請求項６】
前記基板に接着された前記表示パネルの端部を前記基板に接続する配線部材をさらに備える、
請求項４に記載の表示装置。
【請求項７】
前記表示パネル、前記基板及び前記筐体は、全体的に屈曲する、
請求項１に記載の表示装置。
【請求項８】
前記基板は、他の領域よりも曲がりの少ない又は屈曲しない領域であって、互いに離れた領域である第１領域及び第２領域を含み、
前記接着部材は、前記表示パネルを前記第１領域及び第２領域の一方に接着する、
請求項１に記載の表示装置。
【請求項９】
前記覆／非覆切替領域は、前記第１領域及び第２領域の他方に形成される、
請求項８に記載の表示装置。
【請求項１０】
前記第１領域及び第２領域の一方に接着された前記表示パネルの端部を前記基板に接続する配線部材をさらに備える、
請求項８に記載の表示装置。
【請求項１１】
前記接着部材は、屈曲時に互いに近づく前記表示パネルの端部の間の中央部を前記基板に接着する、
請求項１に記載の表示装置。
【請求項１２】
前記覆／非覆切替領域は、屈曲時に互いに近づく前記表示パネルの端部の両方のスライドによりそれぞれ形成される、
請求項１１に記載の表示装置。
【発明の詳細な説明】
【技術分野】
【０００１】
本発明は、表示装置に関する。
【背景技術】
【０００２】
特許文献１には、フレキシブル筐体にフレキシブルディスプレイ、フレキシブル回路基板及びフレキシブルバッテリが収容されたフレキシブル電子デバイスが開示されている。
【先行技術文献】
【特許文献】
【０００３】
【特許文献１】特表２０１５−５０１４６１号公報
【発明の概要】
【発明が解決しようとする課題】
【０００４】
しかしながら、上記従来のフレキシブル電子デバイスでは、フレキシブルディスプレイの周縁部がフレキシブル筐体の側壁部に取り付けられるため、フレキシブル筐体の屈曲に伴ってフレキシブルディスプレイに応力が作用し、フレキシブルディスプレイの信頼性が損なわれるおそれがある。
【０００５】
本発明は、上記課題に鑑みてなされたものであって、その目的は、屈曲可能な表示パネルの信頼性を確保することが可能な表示装置を提供することにある。
【課題を解決するための手段】
【０００６】
上記課題を解決するため、本発明の表示装置は、屈曲可能な表示パネルと、前記表示パネルの表示面側とは反対の裏面側に設けられた屈曲可能な基板と、前記表示パネルの一部を前記基板に接着する接着部材と、前記表示パネル及び前記基板を保持し、前記表示パネル及び前記基板とともに屈曲可能な筐体とを有し、前記表示パネルは面内方向にスライド可能に保持され、前記基板は、前記基板の非屈曲時と屈曲時の一方において前記表示パネルに覆われ、他方において前記表示パネルに覆われない覆／非覆切替領域を含む。
【図面の簡単な説明】
【０００７】
【図１】第１実施形態に係る表示装置の平面図である。
【図２Ａ】屈曲時の表示装置の斜視図である。
【図２Ｂ】屈曲時の表示装置の斜視図である。
【図３】屈曲時の表示装置の断面構造を示す断面図である。
【図４】図３に示すＩＶ−ＩＶ線で切断したときの断面図である。
【図５】図３に示すＶ−Ｖ線で切断したときの断面図である。
【図６】図３に示すＶＩ−ＶＩ線で切断したときの断面図である。
【図７】表示装置の電気的構成を示すブロック図である。
【図８】表示パネルの断面構造を示す断面図である。
【図９】第２実施形態に係る表示装置の平面図である。
【図１０】非屈曲時の表示装置の断面構造を示す断面図である。
【図１１】屈曲時の表示装置の断面構造を示す断面図である。
【図１２】図１０に示すＸＩＩ−ＸＩＩ線で切断したときの断面図である。
【図１３】図１０に示すＸＩＩＩ−ＸＩＩＩ線で切断したときの断面図である。
【図１４】図１０に示すＸＩＶ−ＸＩＶ線で切断したときの断面図である。
【図１５】第３実施形態に係る表示装置の平面図である。
【図１６】屈曲時の表示装置の斜視図である。
【図１７】非屈曲時の表示装置の断面構造を示す断面図である。
【図１８】屈曲時の表示装置の断面構造を示す断面図である。
【図１９】図１８に示すＸＩＸ−ＸＩＸ線で切断したときの断面図である。
【図２０】図１８に示すＸＸ−ＸＸ線で切断したときの断面図である。
【図２１】図１８に示すＸＸＩ−ＸＸＩ線で切断したときの断面図である。
【図２２】変形例に係る表示装置の図１９に対応する断面図である。
【図２３】変形例に係る表示装置の図２０に対応する断面図である。
【図２４】変形例に係る表示装置の図２１に対応する断面図である。
【図２５】変形例に係る表示装置の屈曲時の断面構造を示す断面図である。
【図２６】第４実施形態に係る表示装置の平面図である。
【図２７】非屈曲時の表示装置の断面構造を示す断面図である。
【図２８】屈曲時の表示装置の断面構造を示す断面図である。
【発明を実施するための形態】
【０００８】
以下に、本発明の各実施の形態について、図面を参照しつつ説明する。なお、開示はあくまで一例にすぎず、当業者において、発明の主旨を保っての適宜変更について容易に想到し得るものについては、当然に本発明の範囲に含有されるものである。また、図面は説明をより明確にするため、実施の形態に比べ、各部の幅、厚さ、形状等について模式的に表される場合があるが、あくまで一例であって、本発明の解釈を限定するものではない。また、本明細書と各図において、既出の図に関して前述したものと同様の要素には、同一の符号を付して、詳細な説明を適宜省略することがある。
【０００９】
さらに、本発明の実施形態の詳細な説明において、ある構成物と他の構成物の位置関係を規定する際、「上に」「下に」とは、ある構成物の直上あるいは直下に位置する場合のみでなく、特に断りの無い限りは、間にさらに他の構成物を介在する場合を含むものとする。
【００１０】
［第１実施形態］
図１は、第１実施形態に係る表示装置１Ａの平面図である。図２Ａ及び図２Ｂは、屈曲時の表示装置１Ａの斜視図である。これらの図では、筐体３の図示を省略している。図３は、屈曲時の表示装置１Ａの断面構造を示す断面図である。図４は、図３に示すＩＶ−ＩＶ線で切断したときの断面図である。図５は、図３に示すＶ−Ｖ線で切断したときの断面図である。図６は、図３に示すＶＩ−ＶＩ線で切断したときの断面図である。図中のＦ方向は表示面側を表し、Ｒ方向は裏面側を表している。
【００１１】
表示装置１Ａは、例えば有機発光ダイオードを表示素子として含む有機ＥＬ表示装置である。表示装置１Ａは、可撓性を有するフィルムを基材として用いた屈曲可能な表示パネル１０を備えている。可撓性を有するフィルムは、例えばポリイミドなどの樹脂材料で形成される。表示パネル１０には、例えば赤、緑及び青からなる複数色の単位画素（サブピクセル）を組み合わせたフルカラーの画素Ｐがマトリクス状に配列している。表示パネル１０上にはタッチセンサが設けられてもよい。
【００１２】
表示パネル１０の裏面側には、屈曲可能な基板２が設けられている。基板２は、表示パネル１０よりも面積が大きく、厚さ方向に見たときに表示パネル１０の全部を含むように配置されている。基板２は、例えば表示パネル１０を駆動するための要素を含む駆動基板である。
【００１３】
基板２は、例えば屈曲可能な回路基板を含んでいる。屈曲可能な回路基板は、例えばＦＰＣ（フレキシブルプリント基板）のように、ポリイミド等の樹脂材料と銅等の導電材料とが交互に積層された積層体であってよい。また、基板２はバッテリを含んでもよい。基板２に含まれるバッテリも屈曲可能であることが好ましい。
【００１４】
基板２は、必ずしも全部が屈曲可能である必要はなく、屈曲しない非屈曲部を局所的に含んでいてもよい。非屈曲部は、例えば基板２の一部の剛性を高めることによって形成されてもよいし、筐体３等の周囲の構成によって屈曲しないように構成されてもよい。非屈曲部には、ＩＣチップ（集積回路チップ）等の電子部品が実装されてもよい。
【００１５】
表示パネル１０及び基板２は、屈曲可能な筐体３に保持されている。筐体３は、表示パネル１０及び基板２と共に屈曲する。筐体３は、例えば合成ゴム等の、弾性を有する屈曲可能な材料で形成される。
【００１６】
本実施形態では、図１−図３に示すように、表示パネル１０、基板２及び筐体３は、一方向に延びた帯状に形成されており、長手方向の第１の端部１１，２１，３１と第２の端部１２，２２，３２とが互いに近づくように全体的に屈曲する。具体的には、表示パネル１０、基板２及び筐体３は、側面視でＣ字状となるように湾曲する。
【００１７】
表示パネル１０、基板２及び筐体３は、図１に示す非屈曲状態から裏面側に向かって屈曲し、図２Ａ−図３に示す屈曲状態となる。また、表示パネル１０、基板２及び筐体３は、図２Ａ−図３に示す屈曲状態から表示面側に向かって復帰し、図１に示す非屈曲状態となる。すなわち、裏面側が屈曲方向内側、表示面側が屈曲方向外側となる。
【００１８】
表示パネル１０の第１の端部１１は、接着部材４によって基板２の第１の端部２１に接着されている。接着部材４は、例えば樹脂系接着剤で形成される。さらに、表示パネル１０の第１の端部１１は、配線部材５によって基板２の第１の端部２１に接続されており、これにより表示パネル１０と基板２とが電気的に接続されている。配線部材５は、例えばＦＰＣである。
【００１９】
重ね合わされた表示パネル１０及び基板２が共に屈曲するとき、両者の曲率に差が生じるため、表示パネル１０は基板２に対して面内方向にスライドする。ここで、面内方向とは、表示パネル１０又は基板２の表面に沿った方向である。すなわち、表示パネル１０又は基板２が屈曲している場合には、面内方向は、屈曲した表面に沿った方向である。
【００２０】
本実施形態では、表示パネル１０の第１の端部１１が基板２の第１の端部２１に接着されているので、表示パネル１０の第２の端部１２と基板２の第２の端部２２との距離が屈曲に応じて変化するように、表示パネル１０が基板２に対してスライドする。
【００２１】
基板２は、非屈曲時に表示パネル１０に覆われ、屈曲時に表示パネル１０に覆われない覆／非覆切替領域２６を含んでいる。すなわち、図１に示すように表示パネル１０及び基板２が屈曲しないとき（非屈曲時）には、覆／非覆切替領域２６は表示パネル１０によって覆われる。一方、図２Ａ−図３に示すように表示パネル１０及び基板２が屈曲するとき（屈曲時）には、覆／非覆切替領域２６は表示パネル１０によって覆われず、露出する。
【００２２】
覆／非覆切替領域２６は、表示パネル１０の第２の端部１２（基板２に接着された第１の端部１１とは反対の端部）のスライドにより形成される。すなわち、図１に示す非屈曲時には、表示パネル１０の第２の端部１２は基板２の第２の端部２２に近づき、図２Ａ−図３に示す屈曲時には、表示パネル１０の第２の端部１２は基板２の第２の端部２２から離れ、この差分に相当する領域が覆／非覆切替領域２６となる。
【００２３】
図４−図６に示すように、筐体３は表示パネル１０及び基板２を収容している。筐体３は、基板２の裏面側に設けられた底部３０と、底部３０の幅方向の両端に設けられた一対の側壁部３３と、側壁部３３の上端から幅方向内側に突出する一対の鉤部３４とを有している。筐体３内の空間は、鉤部３４の間を通じて表示面側に開放されている。
【００２４】
筐体３は、表示パネル１０を面内方向にスライド可能に保持している。具体的には、筐体３は、側壁部３３の中途に幅方向内側に突出する一対のレール部３５を有している。レール部３５は、筐体３の長手方向に連続的に形成されてもよいし、断続的に形成されてもよい。
【００２５】
底部３０とレール部３５との間の空間は、基板２を収容するための基板収容部３ａとされる。一方、鉤部３４とレール部３５との間の空間は、表示パネル１０を収容するためのパネル収容部３ｂとされる。パネル収容部３ｂには、表示パネル１０の幅方向の端部が挿入される。
【００２６】
表示パネル１０は、鉤部３４又はレール部３５に沿ってスライドするように、鉤部３４又はレール部３５によってガイドされる。なお、筐体３の第１の端部３１にはレール部３５が設けられておらず、表示パネル１０の第１の端部１１と基板２の第１の端部１２とが接着部材４により接着されている。
【００２７】
図７は、表示装置１の電気的構成を示すブロック図である。表示装置１は、表示パネル１０に設けられる画素アレイ部２０２を備えている。同図では、画素アレイ部２０２に含まれる１つの単位画素の回路構成を示している。単位画素は、有機発光ダイオード（ＯＬＥＤ）２０４及び画素回路２０６を含んでいる。画素回路２０６は、スイッチングＴＦＴ２０８、駆動ＴＦＴ２１０及びキャパシタ２１２を含んでいる。
【００２８】
さらに、表示装置１は、画素アレイ部２０２を駆動するための走査線駆動回路２１４、映像線駆動回路２１６、駆動電源回路２１８及び制御装置２２０を備えている。走査線駆動回路２１４、映像線駆動回路２１６及び駆動電源回路２１８は、額縁領域Ｂ（図１等を参照）に設けられる。
【００２９】
走査線駆動回路２１４は、単位画素の水平方向の並び（画素行）ごとに設けられた走査信号線２２２に接続されている。走査線駆動回路２１４は、制御装置２２０からのタイミング信号に応じて、スイッチングＴＦＴ２０８をオン状態にするための電圧を走査信号線２２２に順番に印加する（すなわち、画素行を順番に選択する）。
【００３０】
映像線駆動回路２１６は、単位画素の垂直方向の並び（画素列）ごとに設けられた映像信号線２２４に接続されている。映像線駆動回路２１６は、走査線駆動回路２１４による画素行の選択に合わせて、選択された画素行に含まれる各々のスイッチングＴＦＴ２０８に制御装置２２０からの映像信号に応じた電圧を印加する。これにより、選択された画素行に含まれる各々のキャパシタ２１２には、スイッチングＴＦＴ２０８を通じて映像信号に応じた電圧が書き込まれる。
【００３１】
駆動電源回路２１８は、単位画素の垂直方向の並び（画素列）ごとに設けられた駆動電源線２２６に接続されている。駆動電源回路２１８は、駆動電源線２２６及び駆動ＴＦＴ２１０を通じてＯＬＥＤ２０４に電流を供給する。このとき、駆動ＴＦＴ２１０は、キャパシタ２１２に書き込まれた電圧に応じた分の電流をＯＬＥＤ２０４に供給する。これにより、ＯＬＥＤ２０４が発光する。
【００３２】
図８は、表示パネル１０の断面構造を示す断面図である。同図では、断面構造を見易くするため、一部の層のハッチングを省略している。以下の説明では、積層方向を上方向とする。
【００３３】
基板３００は、例えばポリイミド等の可撓性がある樹脂からなる。基板３００の上面はアンダーコート層３０４によって覆われている。アンダーコート層３０４上には半導体層３０６が形成されており、半導体層３０６はゲート絶縁膜３０８によって覆われている。ゲート絶縁膜３０８上にはゲート電極３１０が形成されており、ゲート電極３１０はパシベーション膜３１２によって覆われている。ドレイン電極３１４及びソース電極３１６は、ゲート絶縁膜３０８とパシベーション膜３１２とを貫通して半導体層３０６に接続されている。半導体層３０６、ゲート電極３１０、ドレイン電極３１４及びソース電極３１６により薄膜トランジスタ３０２が構成される。薄膜トランジスタ３０２は、複数の単位画素のそれぞれに対応するように設けられている。アンダーコート層３０４、ゲート絶縁膜３０８及びパシベーション膜３１２は、例えばＳｉＯ２又はＳｉＮ等の無機絶縁材料で形成されている。半導体層３０６は、例えばＬＴＰＳ（Low Temperature Poly-silicon）等の半導体で構成されている。
【００３４】
ドレイン電極３１４及びソース電極３１６は層間絶縁膜３１８によって覆われており、層間絶縁膜３１８は平坦化膜３２２によって覆われている。ドレイン電極３１４及びソース電極３１６は、例えばＡｌ、Ａｇ、Ｃｕ、Ｎｉ、Ｔｉ、Ｍｏ等を含む導電性材料で形成されている。層間絶縁膜３１８は、例えばＳｉＯ２又はＳｉＮ等の無機絶縁材料で形成されている。平坦化膜３２２は、例えばアクリル樹脂等の有機絶縁材料で形成され、平坦な上面を有している。
【００３５】
平坦化膜３２２上には画素電極３２４が形成されている。画素電極３２４は、平坦化膜３２２と層間絶縁膜３１８とを貫通してソース電極３１６に接続された接続電極３２０に接続されている。画素電極３２４は、複数の単位画素のそれぞれに対応するように個別に設けられている。本実施形態では、表示パネル１０はトップエミッション型であり、画素電極３２４は反射電極として形成されている。画素電極３２４は、例えばＡｌ、Ａｇ、Ｃｕ、Ｎｉ、Ｔｉ、Ｍｏ等を含む導電性材料や、ＩＴＯ、ＩＺＯ等の導電性酸化物を含んで形成されている。
【００３６】
画素電極３２４は画素分離膜３３４によって覆われている。画素分離膜３３４はリブ又はバンクとも呼ばれる。画素分離膜３３４には、画素電極３２４が底に露出する開口が形成されている。開口を形成する画素分離膜３３４の内縁部分は画素電極３２４の周縁部分に載っており、画素分離膜３３４は、断面視で底部から上方に向かうに従って幅が細くなる順テーパー形状を有している。画素分離膜３３４は、例えばアクリル樹脂やポリイミド樹脂等の有機絶縁材料で形成されている。
【００３７】
画素分離膜３３４の開口の底に露出した画素電極３２４上には、発光層３２６が形成されている。発光層３２６とともに、正孔輸送層、正孔注入層、電子輸送層及び電子注入層の少なくとも一層が形成されてもよい。発光層３２６は、隣り合う開口５５ａ上及びそれらの間の画素分離膜３３４に亘って連続的に、表示領域Ａの全体に広がる一様な膜（いわゆるベタ膜）として蒸着形成されている。この場合、発光層３２６は単色で発光し、カラーフィルタや色変換層によって例えば赤、緑及び青からなる複数色のそれぞれの成分が取り出される。又は、発光層３２６は、マスクを用いて互いに離れるように個別に蒸着形成されてもよい。この場合、発光層３２６は、複数の単位画素のそれぞれに対応して例えば赤、緑及び青からなる複数色で発光する。なお、発光層３２６は蒸着形成に限らず、塗布形成されてもよい。
【００３８】
発光層３２６及び画素分離膜３３４は対向電極３２８によって覆われている。対向電極３２８は、表示領域Ａの全体に広がる一様な膜（いわゆるベタ膜）として形成されている。発光層３２６並びに発光層３２６を挟む画素電極３２４及び対向電極３２８によって有機発光ダイオード（ＯＬＥＤ）が構成され、画素電極３２４と対向電極３２８の一方が陽極、他方が陰極となり、発光層３２６は画素電極３２４と対向電極３２８との間を流れる電流によって発光する。対向電極３２８は、例えばＩＴＯ、ＩＺＯ等の透明導電材料又はＭｇＡｇ等の金属薄膜で形成される。
【００３９】
画素分離膜３３４及び対向電極３２８は、封止膜（パシベーション膜）３３０によって覆われることで封止され、水分から遮断される。封止膜３３０は、例えばＳｉＯ２又はＳｉＮ等の無機絶縁材料で形成されている。封止膜３３０は、保護膜３３６によって覆われている。保護膜３３６は、例えばアクリル樹脂等の有機絶縁材料で形成されており、機械的な耐性を確保する。
【００４０】
［第２実施形態］
図９は、第２実施形態に係る表示装置１Ｂの平面図である。同図では、筐体３の図示を省略している。図１０は、非屈曲時の表示装置１Ｂの断面構造を示す断面図である。図１１は、屈曲時の表示装置１Ｂの断面構造を示す断面図である。図１２は、図１０に示すＸＩＩ−ＸＩＩ線で切断したときの断面図である。図１３は、図１０に示すＸＩＩＩ−ＸＩＩＩ線で切断したときの断面図である。図１４は、図１０に示すＸＩＶ−ＸＩＶ線で切断したときの断面図である。
【００４１】
本実施形態に係る表示装置１Ｂは、本のように折り畳み可能である。本実施形態において、基板２は、屈曲領域２５を含む。また、基板２は、他の領域（屈曲領域）よりも曲がりの少ない又は屈曲しない領域であって、互いに離れた第１領域２３及び第２領域２４を含む。屈曲領域２５は、第１領域２３と第２領域２４との間に位置する。
【００４２】
第１領域２３及び第２領域２４は、例えば屈曲領域２５と比べて厚くすることで剛性を高めた領域であってもよいし、支持基板を貼り付けることで剛性を高めた領域であってもよい。これにより、筐体３が折り曲げられた際に、第１領域２３及び第２領域２４の屈曲の度合いは、屈曲領域２５の度合いよりも小さい。また、第１領域２３及び第２領域２４は、筐体３の対応する部分に剛性を持たせることによって屈曲しないようにされてもよい。
【００４３】
表示パネル１０、基板２及び筐体３は、図９及び図１０に示す非屈曲状態から表示面側に向かって屈曲し、図１１に示す屈曲状態となる。また、表示パネル１０、基板２及び筐体３は、図１１に示す屈曲状態から裏面側に向かって復帰し、図９及び図１０に示す非屈曲状態となる。すなわち、表示面側が屈曲方向内側、裏面側が屈曲方向外側となる。
【００４４】
表示パネル１０は、接着部材４によって基板２の第１領域２３に接着されている。さらに、表示パネル１０の第１の端部１１は、配線部材５により基板２の第１領域２３に含まれる第１の端部２１に接続されている。
【００４５】
本実施形態では、表示パネル１０が基板２の第１領域２３に接着されているので、表示パネル１０の接着されていない領域が基板２の第２領域２４及び屈曲領域２５に対してスライドする。このとき、表示パネル１０の第２領域２４に含まれる第２の端部１２と基板２の第２の端部２２との距離が屈曲に応じて変化する。
【００４６】
本実施形態では、覆／非覆切替領域２６は、非屈曲時に表示パネル１０に覆われず、屈曲時に表示パネル１０に覆われる。すなわち、図９及び図１０に示すように表示パネル１０及び基板２が屈曲しないとき（非屈曲時）には、覆／非覆切替領域２６は表示パネル１０によって覆われず、露出する。一方、図１１に示すように表示パネル１０及び基板２が屈曲するとき（屈曲時）には、覆／非覆切替領域２６は表示パネル１０によって覆われる。
【００４７】
覆／非覆切替領域２６は、基板２の第２領域２４に形成される。すなわち、図９及び図１０に示す非屈曲時には、表示パネル１０の第２の端部１２は基板２の第２領域２４に含まれる第２の端部２２から離れ、図１１に示す屈曲時には、表示パネル１０の第２の端部１２は基板２の第２領域２４に含まれる第２の端部２２に近づき、この差分に相当する領域が覆／非覆切替領域２６となる。
【００４８】
［第３実施形態］
図１５は、第３実施形態に係る表示装置１Ｃの平面図である。図１６は、屈曲時の表示装置１Ｃの斜視図である。これらの図では、筐体３の図示を省略している。図１７は、非屈曲時の表示装置１Ｃの断面構造を示す断面図である。図１８は、屈曲時の表示装置１Ｃの断面構造を示す断面図である。図１９は、図１８に示すＸＩＸ−ＸＩＸ線で切断したときの断面図である。図２０は、図１８に示すＸＸ−ＸＸ線で切断したときの断面図である。図２１は、図１８に示すＸＸＩ−ＸＸＩ線で切断したときの断面図である。
【００４９】
本実施形態に係る表示装置１Ｃも、上記第２実施形態に係る表示装置１Ｂと同様に、本のように折り畳み可能である。但し、本実施形態に係る表示装置１Ｃでは、折り畳みの方向が、上記第２実施形態に係る表示装置１Ｂとは逆になる。
【００５０】
具体的には、表示パネル１０、基板２及び筐体３は、図１５及び図１７に示す非屈曲状態から裏面側に向かって屈曲し、図１６及び図１８に示す屈曲状態となる。また、表示パネル１０、基板２及び筐体３は、図１６及び図１８に示す屈曲状態から表示面側に向かって復帰し、図１５及び図１７に示す非屈曲状態となる。すなわち、裏面側が屈曲方向内側、表示面側が屈曲方向外側となる。
【００５１】
本実施形態では、覆／非覆切替領域２６は、非屈曲時に表示パネル１０に覆われ、屈曲時に表示パネル１０に覆われない。すなわち、図１５及び図１７に示すように表示パネル１０及び基板２が屈曲しないとき（非屈曲時）には、覆／非覆切替領域２６は表示パネル１０によって覆われる。図１６及び図１８に示すように表示パネル１０及び基板２が屈曲するとき（屈曲時）には、覆／非覆切替領域２６は表示パネル１０によって覆われず、露出する。
【００５２】
覆／非覆切替領域２６は、基板２の第２領域２４に形成される。すなわち、図１５及び図１７に示す非屈曲時には、表示パネル１０の第２の端部１２は基板２の第２領域２４に含まれる第２の端部２２に近づき、図１６及び図１８に示す屈曲時には、表示パネル１０の第２の端部１２は基板２の第２領域２４に含まれる第２の端部２２から離れ、この差分に相当する領域が覆／非覆切替領域２６となる。
【００５３】
筐体３については、図１９−図２１に示す態様に限らず、例えば図２２−図２４に示すようにレール部３５が省略されてもよい。表示パネル１０は、筐体３の鉤部３４と基板２との間に配置され、面内方向にスライドするように筐体３の鉤部３４又は基板２の表面によってガイドされる。
【００５４】
また、筐体３については、図１８に示すように基板２の屈曲部２５に対応する部分が湾曲する態様に限らず、例えば図２５に示すように底部３０の裏面同士が接触可能なように折り畳み可能であってもよい。
【００５５】
［第４実施形態］
図２６は、第４実施形態に係る表示装置１Ｄの平面図である。同図では、筐体３の図示を省略している。図２７は、非屈曲時の表示装置１Ｄの断面構造を示す断面図である。図２８は、屈曲時の表示装置１Ｄの断面構造を示す断面図である。
【００５６】
本実施形態に係る表示装置１Ｄも、上記第３実施形態に係る表示装置１Ｃと同様に、本のように折り畳み可能である。
【００５７】
但し、本実施形態の表示装置１Ｄでは、上記第１−第３実施形態と異なり、表示パネル１０の第１の端部１１と第２の端部１２の間の中央部が接着部材４により基板２に接着されている。具体的には、表示パネル１０の中央部は、接着部材４により基板２の第１領域２３と第２領域２４との間の屈曲領域２５に接着されている。
【００５８】
本実施形態では、表示パネル１０の中央部が基板２に接着されているので、表示パネル１０の第１の端部１１と基板２の第１の端部２１との距離と、表示パネル１０の第２の端部１２と基板２の第２の端部２２との距離との両方が屈曲に応じて変化するように、表示パネル１０が基板２に対してスライドする。
【００５９】
このため、基板２は、非屈曲時に表示パネル１０に覆われ、屈曲時に表示パネル１０に覆われない２つの覆／非覆切替領域２６，２７を含んでいる。すなわち、図２６及び図２７に示すように表示パネル１０及び基板２が屈曲しないとき（非屈曲時）には、覆／非覆切替領域２６，２７は表示パネル１０によって覆われる。一方、図２８に示すように表示パネル１０及び基板２が屈曲するとき（屈曲時）には、覆／非覆切替領域２６，２７は表示パネル１０によって覆われず、露出する。
【００６０】
覆／非覆切替領域２６，２７は、表示パネル１０の第１の端部１１と第２の端部１２の両方のスライドによりそれぞれ形成される。
【００６１】
すなわち、第１の端部１１の側においては、図２６及び図２７に示す非屈曲時には、表示パネル１０の第１の端部１１が基板２の第１の端部２１に近づき、図２８に示す屈曲時には、表示パネル１０の第１の端部１１が基板２の第１の端部２１から離れ、この差分に相当する領域が覆／非覆切替領域２７となる。
【００６２】
一方、第２の端部１２の側においては、図２６及び図２７に示す非屈曲時には、表示パネル１０の第２の端部１２が基板２の第２の端部２２に近づき、図２８に示す屈曲時には、表示パネル１０の第２の端部１２が基板２の第２の端部１２から離れ、この差分に相当する領域が覆／非覆切替領域２６となる。
【００６３】
なお、本実施形態では、表示パネル１０の第１の端部１１と基板２の第１の端部２１との距離が屈曲に応じて変化するので、表示パネル１０の第１の端部１１と基板２の第１の端部２１とを接続する配線部材５は、当該距離の変化を吸収可能なように長めに設けられる。
【００６４】
本実施形態においては、開示例として有機ＥＬ表示装置の場合を例示したが、その他の適用例として、液晶表示装置、その他の自発光型表示装置、あるいは電気泳動素子等を有する電子ペーパー型表示装置等、あらゆるフラットパネル型の表示装置が挙げられる。また、中小型から大型まで、特に限定することなく適用が可能であることは言うまでもない。
【００６５】
本発明の思想の範疇において、当業者であれば、各種の変更例及び修正例に想到し得るものであり、それら変更例及び修正例についても本発明の範囲に属するものと了解される。例えば、前述の各実施形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【符号の説明】
【００６６】
１  表示装置、１０  表示パネル、１１，１２  端部、２  基板、２１，２２  端部、２３  第１領域、２４  第２領域、２５  屈曲領域、２６，２７  覆／非覆切替領域、３  筐体、３０  底部、３１，３２  端部、３３  側壁部、３４  鉤部、３５  レール部、３ａ  基板収容部、３ｂ  パネル収容部、４  接着部材、５  配線部材。
【図１】
2019132981.tif 000003
【図２Ａ】
2019132981.tif 000004
【図２Ｂ】
2019132981.tif 000005
【図３】
2019132981.tif 000006
【図４】
2019132981.tif 000007
【図５】
2019132981.tif 000008
【図６】
2019132981.tif 000009
【図７】
2019132981.tif 000010
【図８】
2019132981.tif 000011
【図９】
2019132981.tif 000012
【図１０】
2019132981.tif 000013
【図１１】
2019132981.tif 000014
【図１２】
2019132981.tif 000015
【図１３】
2019132981.tif 000016
【図１４】
2019132981.tif 000017
【図１５】
2019132981.tif 000018
【図１６】
2019132981.tif 000019
【図１７】
2019132981.tif 000020
【図１８】
2019132981.tif 000021
【図１９】
2019132981.tif 000022
【図２０】
2019132981.tif 000023
【図２１】
2019132981.tif 000024
【図２２】
2019132981.tif 000025
【図２３】
2019132981.tif 000026
【図２４】
2019132981.tif 000027
【図２５】
2019132981.tif 000028
【図２６】
2019132981.tif 000029
【図２７】
2019132981.tif 000030
【図２８】
2019132981.tif 000031